(57)【要約】【課題】分離可能に継ぎ合わせて携行性を向上させ、継合部での外径差を小さくしつつ継合部の強度をできるだけ向上させる。【解決手段】繊維強化合成樹脂製の竿杆を継式構造とし、前側に移動フード１４Ｆを設け、後側に固定フード１４Ｆ’を設けたリール装着部を有する継式釣竿であって、後端が少なくとも固定フードにまで至っている後側竿杆１０とこの前側の竿杆１２とのインロー継式による継合部の前後竿杆端面間領域Δが、リールを装着した状態における移動フード１４Ｆを駆動するナット部材１６の長さＬ１範囲内に位置しているよう構成する。【選択図】        図２
2004201571.tif 000002
【特許請求の範囲】
【請求項１】
繊維強化合成樹脂製の竿杆を継式構造とし、前側に移動フードを設け、後側に固定フードを設けたリール装着部を有する継式釣竿であって、後端が少なくとも固定フードにまで至っている後側竿杆とこの前側の竿杆とのインロー継式による継合部の前後竿杆端面間領域が、リールを装着した状態における移動フードを駆動するナット部材の長さ範囲内に位置している
ことを特徴とする継式釣竿。
【請求項２】
前記ナット部材の長さが約６５ｍｍ以上である請求項１記載の継式釣竿。
【請求項３】
前側竿杆と後側竿杆とを継ぎ合わせる前記インロー継合部に使用の小径連結杆は、後側竿杆とは別体の部材で形成されており、該小径連結杆が前記固定フードにまで至っている請求項１又は２記載の継式釣竿。
【請求項４】
前記リール装着部が後側竿杆を内挿させるリールシート本体を有し、該リールシート本体、又は該本体の前端から突出している後側竿杆の所定領域外周面に対し、前記ナット部材の雌ねじ形成本体部と一体の延伸部の内周面が近接するよう内外径が形成されてなる請求項１〜３の何れか１記載の継式釣竿。
【請求項５】
前記ナット部材は、雌ねじ形成本体部よりも柔軟な部材を外周部に設けており、該柔軟部材の前端位置に配設し、該柔軟部材よりも硬質な部材で形成したリング部材には、該リング部材と一体に後方に突出させた管状部を設けており、少なくとも該管状部か又は雌ねじ形成本体部と一体の延伸部の何れか一方が、前記継合部の前側竿杆後端位置と後側竿杆前端位置との間に亘って延伸している請求項１〜４の何れか１記載の継式釣竿。
【発明の詳細な説明】
【０００１】
【発明の属する技術分野】
本発明は、継式釣竿に関し、特に、ルアー竿や船竿に関する。
【０００２】
【従来の技術】
下記特許文献１には、ルアー竿の一種が開示されている。元竿本体と先竿とが振出式に継ぎ合わされている。この継合部の位置はリール装着部の前方位置である。振出式であるため、携行時には短くできて便利である。
【特許文献１】
特開平１０−２９５２３０号公報
【０００３】
【発明が解決しようとする課題】
一般に、継合部は接続される竿杆同士が重合してこの部位だけ撓み剛性が増すため、釣竿全体の撓みが滑らかでなくなる。また、振出式や通常の並継式や逆並継式による継合部では、継合部前後に亘って釣竿外径が急変し、大径側の撓み剛性が更に急上昇する。そこで、所謂、インロー継によって継ぐことにより、継ぎ合わされる前後竿杆の外径差を小さくすることが考えられるが、一般に、少なくとも一方の竿杆に挿入される小径の連結杆が露出し、この露出部位の小径連結杆に応力が集中して折損する虞がある。
依って本発明は、分離可能に継ぎ合わせて携行性を向上させ、継合部での外径差を小さくしつつ継合部の強度をできるだけ向上させることを目的とする。
【０００４】
【課題を解決するための手段】
上記目的に鑑み本発明の請求項１では、繊維強化合成樹脂製の竿杆を継式構造とし、前側に移動フードを設け、後側に固定フードを設けたリール装着部を有する継式釣竿であって、後端が少なくとも固定フードにまで至っている後側竿杆とこの前側の竿杆とのインロー継式による継合部の前後竿杆端面間領域が、リールを装着した状態における移動フードを駆動するナット部材の長さ範囲内に位置していることを特徴とする継式釣竿を提供する。
【０００５】
本願でいうインロー継式とは、継ぎ合わせるべき前側竿杆や後側竿杆の継合部内径をその概略の外径とする小径連結杆が、これら前後の竿杆とは別体である場合は勿論であるが、何れかの竿杆と一体的に形成されている場合も含んでいる。従って後者の場合は、視点を変えれば、並継式や逆並継式と見ることもできる。インロー継合では、継ぎ合わせた場合の前後竿杆の外径差が生じないか小さくて済む利点があるが、竿杆内部に挿入する部材は小径の部材（小径連結杆）であるため、釣りにおける撓み荷重が作用する等によって前後の竿杆の端面位置において折損する虞がある。そこで、継合部のこの部位をリール装着状態のナット部材の長さ範囲内に設けると、継合部を該ナット部材によって補強できる。更には、このように補強しても、ナット部材の長さ範囲内は、元々大きな撓みは想定されていない部位であり、何ら問題が生じない。
【０００６】
請求項２では、前記ナット部材の長さが約６５ｍｍ以上である請求項１記載の継式釣竿を提供する。
移動フードがナット部材と一体であって、その全体を回動させる場合は、この請求項２におけるナット部材の長さとは、移動フード部位を除外することなく、回動部全長である。
上記程度の長さがあれば、該ナット部材を手で把持して回動させる場合に、該ナット部材直前の前側竿杆を回動させないで済むため、これを不用意に一緒に回動させることなくナット部材の回転が行える。従って、リールに対して、前側竿杆上に設けた釣糸ガイドの位置が、リールに対してずれることが防止できる。
【０００７】
請求項３では、前側竿杆と後側竿杆とを継ぎ合わせる前記インロー継合部に使用の小径連結杆は、後側竿杆とは別体の部材で形成されており、該小径連結杆が前記固定フードにまで至っている請求項１又は２記載の継式釣竿を提供する。
小径連結杆はインロー継ぎに必要な部材であり、別体で形成されている場合、この必須部材を所定量長く形成するだけで固定フードにまで至らしめることができ、簡便低コストでリール装着部の補強ができる。
【０００８】
請求項４では、前記リール装着部が後側竿杆を内挿させるリールシート本体を有し、該リールシート本体、又は該本体の前端から突出している後側竿杆の所定領域外周面に対し、前記ナット部材の雌ねじ形成本体部と一体の延伸部の内周面が近接するよう内外径が形成されてなる請求項１〜３の何れか１記載の継式釣竿を提供する。
近接するような内外径の関係とは、半径の相違がせいぜい０．６ｍｍまでである。このように内外径が近接していれば、ナット部材はこの近接部に案内されて滑らかに前後移動できる。
【０００９】
請求項５では、前記ナット部材は、雌ねじ形成本体部よりも柔軟な部材を外周部に設けており、該柔軟部材の前端位置に配設し、該柔軟部材よりも硬質な部材で形成したリング部材には、該リング部材と一体に後方に突出させた管状部を設けており、少なくとも該管状部か又は雌ねじ形成本体部と一体の延伸部の何れか一方が、前記継合部の前側竿杆後端位置と後側竿杆前端位置との間に亘って延伸している請求項１〜４の何れか１記載の継式釣竿を提供する。
上記管状部も雌ねじ形成本体部も所定の強度が期待できる構造材で形成されているため、少なくともこれらの一方が継合部の前側竿杆後端位置と後側竿杆前端位置との間に亘って延伸していると、インロー継合部の露出した小径連結杆部位を補強でき、強度が向上する。
【００１０】
【発明の実施の形態】
以下、本発明を添付図面に示す実施形態例に基づき、更に詳細に説明する。
図１は本発明に係る継式釣竿としての２本継ぎのルアー竿の側面図であり、図２は図１の要部の拡大部分断面図である。竿杆自体は、エポキシ樹脂等の合成樹脂を炭素繊維等の強化繊維で強化した繊維強化樹脂製で構成している。後側竿杆１０と前側竿杆１２とをインロー継式に継ぎ合わせている。前側竿杆１２にはトップガイドＴＰや他の釣糸ガイドＧを装着している。一方、後側竿杆１０は、グリップ部３０とリール装着部との領域内に収まっており、この形態例では、グリップ部３０のほぼ後端にまで至っている。
【００１１】
リール装着部は、後側竿杆１０を挿通させると共に、トリガー１４Ｔの径方向反対側近くの前後方向位置に固定フード１４Ｆ’を設け、前側領域外周に雄ねじを設けた雄ねじ領域１４Ｎを有するリールシート本体１４Ｈを具備している。一方、ナット部材１６には、前記雄ねじと螺合する雌ねじを雌ねじ形成本体部１６Ｎに設けており、該本体部１６Ｎは一般的構造材の合成樹脂や金属で形成しており、この後方端部側に、前記固定フードと対を成す移動フード１４Ｆを一体形成している。従って、この形態例では、移動フードは全周に亘って同じ断面形状に形成されており、ナット部材１６の回転と共に回転するよう構成されているが、如何なる回転位置においても移動フードの作用を成す。しかし、移動フードはこれに限らず、ナット部材の回転に従って前後移動のみする構造のもの等であってもよい。
【００１２】
前記本体部１６Ｎの前方端部側には、幾分、段状に小径となった管状の延伸部１６ＥＸを一体形成している。この本体部と延伸部との外周には、天然や人工のコルク材やＥＶＡ等によって把持感良く形成されたグリップ部１６Ｊが設けられている。この柔軟なグリップ部１６Ｊの前端部を保護すると共に装飾も兼ね、グリップ部よりも硬質な合成樹脂や金属で形成したリング部材１６Ｒが前端位置に配設されている。このリング部材はその後側に、所定長さの管状部１６Ｋを一体に突出形成している。
【００１３】
前側竿杆１２と後側竿杆１０とをインロー式に継ぎ合わせるための小径連結杆１１は、この例では後側竿杆１０に接着固定されていて、前側竿杆と着脱可能に連結されているが、前側竿杆に接着固定され、後側竿杆と着脱可能に連結してもよい。その後端１１Ｔが前記固定フードの幾分後方位置にまで至っている。このため、リール装着部にリールＲを装着して釣りを行う場合に、前後のフード部間において受ける荷重に充分耐えることができる。また、継合部には、小径連結杆１１が長さΔ（０ｍｍ以上）の範囲露出している前後竿杆端面間領域がある。
【００１４】
ルアー竿に通常主に使用されるベイトリールＲの足の長さは６３ｍｍ程度のものが多く、これを装着した場合において、継合部の前後竿杆端面間領域は、ナット部材１６の長さ範囲Ｌ１内に位置している。従って、この小径連結竿杆露出領域が補強される結果となる。更には、雌ねじ形成本体部１６Ｎの延伸部１６ＥＸと前記管状部１６Ｋとがこの露出領域に亘っているため、更に補強効果が高い。しかし、延伸部１６ＥＸと管状部１６Ｋの何れか一方だけで覆われていても補強効果が高まる。
【００１５】
上記長さＬ１は６５ｍｍ以上あり、ナット部材１６を回動させる場合に、操作者の手はナット部材のみに載置でき、前側竿杆１２を回動させないで済む。好ましくは７５ｍｍ以上である。従って、誤って前側竿杆を回動させて釣糸ガイドＧ，ＴＰがリールに対して捩れるような相対位置になることが防止できる。この形態例では、移動フード部もナット部材と共に回転するよう一体に形成されているため、該移動フード部をも含めた長さＬ２が６５ｍｍ以上であれば同様な効果がある。更には、ナット部材の長さＬ１（又はＬ２）が８５ｍｍ程度以下であれば、扱い易くて便利である。
【００１６】
更には、ナット部材１６を回動させて前後に移動させる場合に、ガイドされる構造であれば滑らかに前後移動ができ、便利である。このため、この形態例では、リールシート本体１４Ｈの雄ねじ領域１４Ｎ前端から露出した後側竿杆１０の外周部１０Ｓと、ナット部材１６の前記延伸部１６ＥＸの内周面とが近接した寸法に形成されている。具体的には、半径隙間が０．４ｍｍに形成されている。この隙間は０．２〜０．６ｍｍが好ましい。
【００１７】
釣りを終えたりして釣竿を携行する場合には、ナット部材を弛めてリールを取り外し、前側竿杆１２を抜き去ることで釣竿は２つになり、携行長さが短くなって便利である。更には、インロー継方式を採用しているため、前後竿杆の外径差が小さくて済み、ナット部材内を挿通させることが容易になる。
【００１８】
上記ではベイトリールを装着したことを説明したが、スピニングリール等を使用することを除外していない。また、上記形態例では２本継ぎの竿であるが、３本継ぎ以上の竿でもよい。また、上記形態例では、トリガー付きのリールシート本体を有しているが、これに限らない。また、ルアー竿を例に説明したが、船竿等であってもよい。
【００１９】
【発明の効果】
以上の説明から明らかなように本発明によれば、分離可能に継ぎ合わせて携行性を向上させ、継合部での外径差を小さくしつつ継合部の強度をできるだけ向上させた継式釣竿が提供可能となる。
【図面の簡単な説明】
【図１】図１は本発明に係る継式釣竿の側面図である。
【図２】図２は図１の要部の拡大部分断面図である。
【符号の説明】
１０                      後側竿杆
１１                      小径連結杆
１２                      前側竿杆
１４Ｆ                    移動フード
１４Ｆ’                  固定フード
１４Ｈ                    リールシート本体
１６                      ナット部材
１６ＥＸ                  延伸部
１６Ｋ                    管状部
１６Ｎ                    雌ねじ形成本体部
【図１】
2004201571.tif 000003
【図２】
2004201571.tif 000004